(57)【要約】【課題】設置が容易で、漏水を早期発見することを可能とした漏水センサ一体型建材を提案する。【解決手段】ワイヤレス送信機４４に電力を供給する蓄電昇圧電源回路４３に接続される異種材料からなる２種類の電極４１，４２が離間して配設されている漏水センサ一体型建材。この２種類の電極４１，４２には、例えば、金属線や導電糸等の線材の他、金属箔や網材等の面状部材、導電接着剤、建材等に印刷された導電インク等が使用可能である。【選択図】図２
2018173387.tif 000002
【特許請求の範囲】
【請求項１】
ワイヤレス送信機に電力を供給する蓄電昇圧電源回路に接続される異種材料からなる２種類の電極が離間して配設されていることを特徴とする、漏水センサ一体型建材。
【請求項２】
前記電極同士の間に透水性の絶縁体が介設されていることを特徴とする、請求項１に記載の漏水センサ一体型建材。
【請求項３】
前記２種類の電極のうちの少なくとも一方の電極が面状であることを特徴とする、請求項２に記載の漏水センサ一体型建材。
【請求項４】
前記２種類の電極のうちの少なくとも一方の電極が導電接着剤であることを特徴とする、請求項２に記載の漏水センサ一体型建材。
【請求項５】
ワイヤレス送信機に電力を供給する蓄電昇圧電源回路に接続される異種材料からなる２種類の電極のうちの一方の電極が一体に設けられていることを特徴とする、漏水センサ一体型建材。
【発明の詳細な説明】
【技術分野】
【０００１】
本発明は、漏水センサ一体型建材に関する。
【背景技術】
【０００２】
建物の漏水は、発覚時には大きな被害が生じている場合が多い。漏水による被害が大きいと、その補修に手間と費用がかかる。特許文献１には、建物の壁内の水分量を検知するためのセンサシステムが開示されている。特許文献１のセンサシステムは、絶縁体を挟むように配設された２本の金属線を備える測定装置を備えており、この２本の金属線間の電気抵抗を測定することにより、水分量を検知するものである。
また、特許文献２には、水を溜める容器と、容器の内部に配置された一対の電極と、無線送信機とを備える自己発電型漏水検知センサが開示されている。この自己発電型漏水検知センサは、容器に水が溜まると、その水が電界液として振る舞い、電極同士のイオン化傾向の差によって発電された電力によって起動する。
さらに、特許文献３には、電極部と、漏水により生じた電極部の電位差を増幅する増幅回路と、増幅された信号を判別する比較回路とを備える漏水検知器が開示されている。
【先行技術文献】
【特許文献】
【０００３】
【特許文献１】特開２０１６−０４５１３６号公報
【特許文献２】特開２０１３−１６７５５１号公報
【特許文献３】特開２００１−２９６２０１号公報
【発明の概要】
【発明が解決しようとする課題】
【０００４】
特許文献１のセンサシステムは、金属線の電気抵抗を測定するものであるため、金属線に通電するための電源が必要である。また、特許文献１のセンサシステムは、金属線を備える測定装置の他、測定されたデータの保存およびデータ処理を行うサーバーを備えている。そのため、特許文献１のセンサシステムは、電源用の配線およびサーバーに接続するための配線が必要となり、設置作業に手間がかかる。
また、特許文献２の自己発電型センサは、容器に溜まった水で発電するため、漏水が発生する位置に容器を設置する必要がある。また、容器を設置できない場所では漏水を検知できない。
さらに、特許文献３の漏水検知器は、増幅回路において入力信号を大きな出力信号に増幅するための電源が必要である。そのため、特許文献３の漏水検知器は、電源用の配線が必要となり、設置作業に手間がかかる。
このような観点から、本発明は、設置が容易で、漏水を早期発見することを可能とした漏水センサ一体型建材を提案することを課題とする。
【課題を解決するための手段】
【０００５】
前記課題を解決するために、第一の発明の漏水センサ一体型建材は、ワイヤレス送信機に電力を供給する蓄電昇圧電源回路に接続される異種材料からなる２種類の電極が離間して配設されていることを特徴とする。前記電極同士は、透水性の絶縁体を介設することにより離間させてもよい。なお、前記２種類の電極のうちの少なくとも一方の電極は、金属線や導電糸等の線材の他、金属箔や網材等の面状部材、導電接着剤、建材等に印刷された導電インク等が使用可能である。また、漏水センサ一体型建材を構成する基材としては、例えば、バッカー、シート材、テープ材等がある。
かかる漏水センサ一体型建材は、漏水の水分によって２種類の電極が連結されると、電位差によって発電された電力が蓄電昇圧電源回路のコンデンサに蓄電される。蓄電量が一定の量に達すると蓄電昇圧電源回路に接続されたワイヤレス送信機が起動することで、建物の漏水を早期発見し、漏水による被害を最小限に抑えることができる。すなわち、建物内に生じた漏水を把握することができるため、漏水個所を早期に発見することができる。また、電源および通信用の配線が不要なため、設置が容易であるとともに設置個所が限定され難い。ここで、蓄電昇圧電源回路は、２種類の電極によって発電された電力（電流）をコンデンサに蓄電するとともに、蓄えた電力をワイヤレス送信機へ放電する回路（電路）である。すなわち、水分を介して連結された２種類の電極４１，４２および蓄電昇圧電源回路４３は、ワイヤレス送信機に電力を供給する電池を構成する。なお、２種類の電極によって発電された電力は、蓄電昇圧電源回路を介してワイヤレス送信機へ供給されるが、ワイヤレス送信機が起動するために必要な蓄電量が確保されるまでは蓄電昇圧電源回路のコンデンサに蓄電される。
【０００６】
第二の発明の漏水センサ一体型建材は、ワイヤレス送信機に電力を供給する蓄電昇圧電源回路に接続される異種材料からなる２種類の電極のうちの一方の電極が一体に設けられていることを特徴とする。
かかる漏水センサ一体型建材によれば、異なる種類の他の電極と組み合わせて使用することで、第一の発明の漏水センサ一体型建材と同様の効果が得られる。
【発明の効果】
【０００７】
本発明の漏水センサ一体型建材によれば、容易に設置することができ、かつ、漏水を早期発見することが可能となる。
【図面の簡単な説明】
【０００８】
【図１】第一の実施形態に係る漏水センサ一体型建材を模式的に示す図であって、（ａ）は横断図、（ｂ）は縦断図である。
【図２】本発明の実施形態に係る漏水センサの模式図である。
【図３】他の形態に係る一対の電極の配線状況を示す模式図である。
【図４】第二の実施形態に係る漏水センサ一体型建材を模式的に示す図であって、（ａ）は横断図、（ｂ）は平断面図である。
【図５】第三の実施形態に係る漏水センサ一体型建材を模式的に示す図であって、（ａ）は横断図、（ｂ）は裏面から望む平面図である。
【図６】（ａ）は第四の実施形態に係る漏水センサ一体型建材を模式的に示す横断図、（ｂ）は他の形態に係る漏水センサ一体型建材を示す分解斜視図である。
【図７】第五の実施形態に係る漏水センサ一体型建材を模式的に示す図であって、（ａ）は横断図、（ｂ）は平面図である。
【図８】第六の実施形態に係る漏水センサ一体型建材を模式的に示す斜視図である。
【図９】第七の実施形態に係る漏水センサ一体型建材を模式的に示す分解斜視図である。
【図１０】第八の実施形態に係る漏水センサ一体型建材を模式的に示す分解斜視図である。
【発明を実施するための形態】
【０００９】
＜第一の実施形態＞
第一の実施形態の漏水センサ一体型建材１は、図１（ａ）および（ｂ）に示すように、壁２０（構造物２）の目地２１に設置されたバッカー１１である。バッカー１１には、一対の電極４１，４２が配設されている。バッカー１１は、壁部材２２同士の間に形成された目地２１を遮蔽するように、目地２１の長手方向に沿って配設されている。バッカー１１は、例えば、発砲樹脂等の伸縮可能な材質からなる。なお、バッカー１１を構成する材料は限定されるものではない。また、目地２１を遮蔽する部材（漏水センサ一体型建材１）はバッカー１１に限定されるものではなく、一対の電極４１，４２が配線されたテープ材であってもよい。目地２１には、シール材５が埋め込まれている。なお、シール材５は、必要に応じて設置する。また、図１（ａ）では、説明都合上、シール材５とバッカー１１との間に隙間を設けているが、バッカー１１とシール材５は密着していても良い。
【００１０】
一対の電極４１，４２は、漏水センサ４の一部を構成するものであって、図２に示すように、蓄電昇圧電源回路４３に接続されている。本実施形態の漏水センサ４は、一対（２種類）の電極４１，４２と、蓄電昇圧電源回路４３と、ワイヤレス送信機４４とを備えている。
【００１１】
一対の電極４１，４２は、図１（ａ）および（ｂ）に示すように、バッカー１１の表面（シール材５に臨む面）に露出した状態で離間して配設されている。一対の電極４１，４２の設置方法は限定されるものではなく、例えば、バッカー１１の表面に接着してもよいし、また、治具や粘着テープなどにより部分的にバッカー１１に固定してもよい。また、一対の電極４１，４２は、一部をバッカー１１に埋め込んだ状態でバッカー１１に固定してもよい。一対の電極４１，４２のうち、一方の電極４１はステンレス線（ＳＵＳ線）からなり、他方の電極４２は亜鉛メッキ線からなる。なお、各電極４１，４２を構成する材料は、異種材料からなるものであれば、前記のものに限定されるものではない。例えば、一方の電極４１として亜鉛ベースの導電インクで表面が被覆された線材（Ｚｎメッキの線材）を使用し、他方の電極４２として銀ベースの導電インクで表面が被覆された線材（銀メッキの線材）を使用してもよい。また、電極４１，４２は、異種材料からなる導電糸であってもよいし、バッカー１１に塗着された導電インクであってもよい。また、本実施形態では、図１（ｂ）に示すように、一対の電極４１，４２が直線状に配線されているが、一対の電極４１，４２は必ずしも直線状に配線する必要はない。また、一対の電極４１，４２は、図３に示すように、櫛形を呈していてもよい。こうすることで、漏水（水分）と一対の電極４１，４２との当接面が大きくなることで起電力が大きくなるため、蓄電昇圧電源回路４３の発電効率が向上し、ひいては、早期にワイヤレス送信機４４を起動させることができる。
【００１２】
一対の電極４１，４２は、バッカー１１の外部に配設された蓄電昇圧電源回路４３（図２参照）に接続されている。蓄電昇圧電源回路４３は、図２に示すように、一対の電極４１，４２と、ワイヤレス送信機４４との間に介設されている。すなわち、蓄電昇圧電源回路４３は、直流電源である一対の電極４１，４２が出力する直流電力をコンデンサに蓄電し、蓄電量が一定量に達したら、蓄えた電力（電流）をワイヤレス送信機４４へ放電する。ワイヤレス送信機４４は、バッカー１１の外部に設けられていて、蓄電昇圧電源回路４３のコンデンサに蓄電された電力により起動する。ワイヤレス送信機４４が起動すると、信号が発信される。なお、蓄電昇圧電源回路４３およびワイヤレス送信機４４は、バッカー１１の内部に埋め込むなどして、バッカー１１に一体に設けられていてもよい。
【００１３】
本実施形態の漏水センサ４は、目地２１に水分が浸透して、一方の電極４１と他方の電極４２とが水分を介して連結されると、ワイヤレス送信機４４から信号が発信されるように構成されている。すなわち、一対の電極４１，４２が水分を介して連結されると、一方の電極４１と他方の電極４２との間の電位差によって生じる電流によって発電される。一対の電極４１，４２により発電された電力は、蓄電昇圧電源回路４３のコンデンサに蓄電される。すなわち、水分を介して連結された２種類の電極４１，４２および蓄電昇圧電源回路４３は、電池を構成する。蓄電昇圧電源回路４３のコンデンサに蓄電された電力が一定量（ワイヤレス送信機４４が起動される電力）に到達すると、ワイヤレス送信機４４から信号が送信される。そのため、ワイヤレス送信機４４から送信された信号を、ワイヤレス受信機４５により受信することで、漏水の発生を把握することができる。なお、漏水センサ４は、蓄電昇圧電源回路４３により蓄電と放電とが行われるため、ワイヤレス送信機４４から信号がパルス状に発信される。
【００１４】
以上、本実施形態の漏水センサ一体型建材１（バッカー１１）は、漏水センサ４が設けられているため、目地２１にバッカー１１を設置するのみで、漏水センサ４の設置も完了する。また、外部電源等（商用電源やバッテリー等）を必要としないため、電源を確保するための配線作業を行う必要がない。そのため、工期短縮化を図ることができる。
漏水センサ４は、バッカー１１とシール材５との間に浸透した水分、または、バッカー１１内に浸透した水分によって一対の電極４１，４２が連結されると、電位差によって発電した電力によって信号が送信される仕組みになっているため、漏水を早期発見し、漏水による被害を最小限に抑えることができる。
【００１５】
ワイヤレス送信機４４によって送信された信号は、ワイヤレス受信機４５によって離れた位置から受信することができるため、リアルタイムで漏水を把握することができる。なお、ワイヤレス受信機４５によって受信した漏水の信号を、スマートフォンやコンピュータ等の端末に送信し、端末に漏水個所を表示してもよい。
漏水センサ一体型建材１の取り付け個所毎にワイヤレス送信機４４から送信される信号の周波数を変化させれば、ワイヤレス受信機４５によって受信した時点で漏水個所を把握することができる。
【００１６】
＜第二の実施形態＞
第二の実施形態の漏水センサ一体型建材１は、図４（ａ）および（ｂ）に示すように、建物の床版２３（構造物２）の室内面に接着されるシート材１２である。シート材１２は、透水性の材料からなる基材１４を備えている。なお、基材１４を構成する材料は、シート材１２の設置個所や用途に応じて適宜決定すればよく、透水性の材料に限定されるものではない。例えば、不透水性の材料であってもよい。なお、第二の実施形態の漏水センサ一体型建材１は、テープ材であってもよい。
【００１７】
基材１４の裏面には、２種類の電極４１，４２が離間して配設されている。２種類の電極４１，４２は、漏水センサ４の一部を構成するものであって、蓄電昇圧電源回路４３に接続されている。本実施形態の漏水センサ４は、２種類の電極４１，４２と、蓄電昇圧電源回路４３と、ワイヤレス送信機４４とを備えている（図２参照）。
基材１４の裏面（床版２３側の面）には、絶縁層（絶縁体）３が積層されている。絶縁層３は、透水性を有していて、かつ、電気を通し難い布材により構成された基布である。なお、絶縁層３を構成する材料は限定されるものではなく、例えばポリエステル織布により構成すればよい。
２種類の電極４１，４２は、図４（ａ）および（ｂ）に示すように、それぞれ絶縁層３の表面側（基材１４側）と絶縁層３の裏面側（床版２３側）とに配設されている。すなわち、２種類の電極４１，４２は、絶縁層３を介して離間している。
【００１８】
一方の電極４１は、導電糸または金属線により構成されている。一方の電極４１は、基材１４と絶縁層３との間に配設されている。本実施形態では、複数本の電極４１が、平行かつ直線状に配線されている。なお、電極４１は、必ずしも直線である必要はない。
他方の電極４２は、床版２３に接着された導電性接着材であって、床版２３と絶縁層３の裏面とを接着している。すなわち、本実施形態のシート材１２（漏水センサ一体型建材１）は、基材１４に絶縁層３および一方の電極４１（蓄電昇圧電源回路４３に接続される２種類の電極４１，４２のうちの一方の電極４１）が一体に設けられた状態で搬入された後、構造物２に塗着された他方の電極４２により所定の位置に貼り付けられている。なお、図４（ａ）では、説明の都合上、絶縁層３と他方の電極４２との間に隙間を設けているが、電極４２は絶縁層３に密着していてもよい。ここで、シート材１２は、他方の電極４２である導電性接着剤を絶縁層３の裏面に予め接着したものであってもよい。なお、他方の電極４２は、導電性接着剤に限定されるものではなく、例えば、線材であってもよい。
【００１９】
電極４１，４２は、床版２３にシート材１２を配設した後、シート材１２の外部に配設された蓄電昇圧電源回路４３（図２参照）に接続する。蓄電昇圧電源回路４３は、図２に示すように、電極４１，４２と、ワイヤレス送信機４４との間に介設されている。すなわち、蓄電昇圧電源回路４３は、直流電源である電極４１，４２が出力する直流電力をコンデンサに蓄電し、蓄電量が一定量に達したら、蓄えた電力（電流）をワイヤレス送信機４４へ放電する。ワイヤレス送信機４４は、シート材１２の外部に設けられていて、蓄電昇圧電源回路４３のコンデンサに蓄電された電力により起動する。ワイヤレス送信機４４が起動すると、信号が発信される。なお、蓄電昇圧電源回路４３およびワイヤレス送信機４４は、基材１４の裏面に配設されていてもよい。
【００２０】
本実施形態の漏水センサ４は、基材１４を浸透した漏水が絶縁層３に浸透して、一方の電極４１と他方の電極４２とが水分を介して連結されることで、ワイヤレス送信機４４から信号が発信されるように構成されている。すなわち、２種類の電極４１，４２が水分を介して連結されると、一方の電極４１の電位に対する他方の電極４２の電位差によって生じる電流によって発電される。２種類の電極４１，４２により発電された電力は、蓄電昇圧電源回路４３のコンデンサに蓄電される。このように、水分を介して連結された２種類の電極４１，４２および蓄電昇圧電源回路４３は、電池を構成する。蓄電昇圧電源回路４３のコンデンサに蓄電された電力が一定量（ワイヤレス送信機４４が起動される電力）に到達すると、当該蓄電昇圧電源回路４３に接続されたワイヤレス送信機４４から信号が送信される。そのため、ワイヤレス送信機４４から送信された信号を、ワイヤレス受信機４５（図２参照）により受信することで、漏水の発生を把握することができる。
【００２１】
以上、本実施形態の漏水センサ一体型建材１（シート材１２）は、一方の電極４１が設けられたシート材１２を他方の電極４２である導電性接着剤を介して構造物２（壁２０等）に貼着するのみで漏水センサ４の設置が完了する。また、外部電源等を必要としないため、電源を確保するための配線作業を行う必要がない。そのため、工期短縮化を図ることができる。
漏水センサ４は、基材１４や構造物２を浸透した水分によって２種類の電極４１，４２が連結されると、電位差によって発電した電力によって信号が送信される仕組みになっているため、漏水の発生を早期に発見することができる。したがって、漏水による被害を最小限に抑えることができる。
ワイヤレス送信機４４によって送信された信号は、ワイヤレス受信機４５によって離れた位置から受信することができるため、リアルタイムで漏水を把握することができる。なお、ワイヤレス受信機４５によって受信した漏水の信号が、スマートフォンやコンピュータ等の端末に表示されるシステムを構築してもよい。
【００２２】
＜第三の実施形態＞
第三の実施形態の漏水センサ一体型建材１は、図５（ａ）および（ｂ）に示すように、テープ材１３である。また、第三の実施形態の漏水センサ一体型建材１は、シート材であってもよい。
本実施形態のテープ材１３は、透水性の材料からなる基材１４を備えている。なお、基材１４を構成する材料は限定されるものではない。
【００２３】
基材１４の裏面には、一対（２種類）の電極４１，４２が互いに離間して配設されている。本実施形態の電極４１，４２は、図５（ｂ）に示すように、櫛形を呈しており、一方の電極４１と他方の電極４２とが、互い違いに配設されるように対向している。なお、各電極４１，４２を構成する材料は、異種材料からなるものであれば、限定されるものではない。例えば、金属線や導電糸であってもよいし、基材１４の裏面に印刷あるいは塗着されたインクであってもよく、また、メッキ、スパッタ、溶射、蒸着等であってもよい。また、電極４１，４２は、平行かつ直線状に配線された線材であってもよい。
【００２４】
一対の電極４１，４２は、テープ材１３の外部に配設された蓄電昇圧電源回路４３（図２参照）に接続されている。蓄電昇圧電源回路４３は、図２に示すように、一対の電極４１，４２と、ワイヤレス送信機４４との間に介設されている。すなわち、蓄電昇圧電源回路４３は、直流電源である一対の電極４１，４２が出力する直流電力をコンデンサに蓄電し、蓄電量が一定量に達したら、蓄えた電力（電流）をワイヤレス送信機４４へ放電する。ワイヤレス送信機４４は、テープ材１３の外部に設けられていて、蓄電昇圧電源回路４３のコンデンサに蓄電された電力により起動する。ワイヤレス送信機４４が起動すると、信号が発信される。なお、蓄電昇圧電源回路４３およびワイヤレス送信機４４は、基材１４の背面に設置するなどして、テープ材１３に一体に設けられていてもよい。
【００２５】
基材１４の裏面（接着面）には、さらに接着層６が形成されている。すなわち、テープ材１３は、接着層６により貼着が可能である。本実施形態の接着層６は、メッシュ状の接着剤シート６１を一対の電極４１，４２の上から基材１４の裏面に接着することにより形成されている。なお、接着層６は、基材１４の裏面に、接着剤を所定の間隔をあけて（櫛目状、格子状に）塗着することにより形成してもよい。また、接着層６は、必ずしも、メッシュ状、櫛目状あるいは格子状である必要はない。例えば、漏水センサ４が基材１４の表面から浸透した水分を検知することを目的としている場合には基材１４の裏面全体を覆っていてもよい。また、接着層６は、基材１４と一対の電極４１，４２との間に形成してもよい。
【００２６】
本実施形態の漏水センサ４は、テープ材１３の周辺において漏水が発生して、テープ材１３に水分が浸透することで、一方の電極４１と他方の電極４２とが水分を介して連結されると、ワイヤレス送信機４４から信号が発信されるように構成されている。すなわち、一対の電極４１，４２が水分を介して連結されると、一方の電極４１の電位に対する他方の電極４２の電位差によって生じる電流によって発電される。一対の電極４１，４２により発電された電力は、蓄電昇圧電源回路４３のコンデンサに蓄電される。蓄電昇圧電源回路４３のコンデンサに蓄電された電力が一定量（ワイヤレス送信機４４が起動される電力）に到達すると、当該蓄電昇圧電源回路４３に接続されたワイヤレス送信機４４から信号が送信される。そのため、ワイヤレス送信機４４から送信された信号を、ワイヤレス受信機４５により受信することで、漏水の発生を把握することができる。このように、水分を介して連結された２種類の電極４１，４２および蓄電昇圧電源回路４３は電池を構成する。
【００２７】
以上、本実施形態の漏水センサ一体型建材１は、テープ材１３と漏水センサ４とが一体に構成されているため、テープ材１３を所定の位置に貼着するのみで漏水センサ４の設置が完了する。この他の本実施形態の漏水センサ一体型建材１の作用効果は、第１の実施形態で示した内容と同様なため、詳細な説明は省略する。
【００２８】
＜第四の実施形態＞
第四の実施形態の漏水センサ一体型建材１は、図６（ａ）に示すように、シート材１２である。シート材１２は、不透水性の材料からなる基材１４を備えている。なお、基材１４を構成する材料は限定されるものではなく、透水性の材料であってもよい。また、第四の実施形態の漏水センサ一体型建材１は、テープ材であってもよい。
【００２９】
基材１４の裏面には、２種類の電極４１，４２が離間して配設されている。２種類の電極４１，４２は、漏水センサ４の一部を構成するものであって、蓄電昇圧電源回路４３に接続されている。本実施形態の漏水センサ４は、２種類の電極４１，４２と、蓄電昇圧電源回路４３と、ワイヤレス送信機４４とを備えている（図２参照）。なお、蓄電昇圧電源回路４３およびワイヤレス送信機４４の詳細は、第二の実施形態で示した内容と同様なため、詳細な説明は省略する。
【００３０】
基材１４の裏面には透水性の絶縁層３が積層されている。絶縁層３は、電気を通し難い布材により構成された基布である。なお、絶縁層３を構成する材料は限定されるものではなく、例えばポリエステル織布により構成すればよい。
２種類の電極４１，４２は、それぞれ絶縁層３の表面側と絶縁層３の裏面側とに配設されている。すなわち、２種類の電極４１，４２は、絶縁層３を介して離間している。なお、図６（ａ）では、説明の都合上、絶縁層３と電極４１，４２との間に隙間を設けているが、電極４１，４２はそれぞれ絶縁層３に密着していてもよい。一対の電極４１，４２は、それぞれ異種金属からなる金属箔（面状部材）により構成されている。なお、各電極４１，４２を構成する材料は、異種金属からなるものであれば、前記のものに限定されるものではなく、例えば、図６（ｂ）に示すように、金属網であってもよい。また、本実施形態では、２種類の電極４１，４２のいずれもが面状である場合について説明するが、電極４１，４２の形態は限定されるものではなく、例えば、２種類の電極４１，４２の一方が面状部材で他方が線状部材であってもよい。また、２種類の電極４１，４２は、平面視で格子状になるように、互いに交差（直交）するように配線された線材（金属線や導電糸等）であってもよい。このとき、電極４１，４２同士の間に介設される絶縁層３は、電極４１，４２同士が交差する部分のみに介設してもよい。
【００３１】
本実施形態の漏水センサ４は、シート材１２（絶縁層３）に水分が浸透して、一方の電極４１と他方の電極４２とが水分を介して連結されると、ワイヤレス送信機４４から信号が発信されるように構成されている。すなわち、２種類の電極４１，４２が水分を介して連結されると、一方の電極４１の電位に対する他方の電極４２の電位差によって生じる電流によって発電される。２種類の電極４１，４２により発電された電力は、蓄電昇圧電源回路４３のコンデンサに蓄電される。蓄電昇圧電源回路４３のコンデンサに蓄電された電力が一定量（ワイヤレス送信機４４が起動される電力）に到達すると、当該蓄電昇圧電源回路４３に接続されたワイヤレス送信機４４から信号が送信される。そのため、ワイヤレス送信機４４から送信された信号を、ワイヤレス受信機４５により受信することで、漏水の発生を把握することができる。また、電極４１，４２は、水分に対して面で接触するため、線材からなる電極と比較して起電力が大きい。そのため、蓄電昇圧電源回路４３の発電効率が向上し、より早く漏水を把握することとができる。
本実施形態の漏水センサ一体型建材１によれば、第二の実施形態で示した漏水センサ一体型建材１と同様の作用効果を得ることができる。
【００３２】
＜第五の実施形態＞
第五の実施形態の漏水センサ一体型建材１は、図７（ａ）および（ｂ）に示すように、建物の屋上等の床版２３（構造物２）を被覆するように配設されたシート材１２である。本実施形態のシート材１２の上面は、防水層７で覆われている。本実施形態の防水層７を構成する材料はアスファルトとするが、防水層７を構成する材料は限定されるものではなく、例えば、ウレタンであってもよい。
本実施形態のシート材１２は、不透水性の耐熱性シートにより構成されている。なお、シート材１２を構成する材料は限定されるものではない。シート材１２には、複数の漏水センサ４が埋め込まれている。
【００３３】
本実施形態の漏水センサ４は、２種類の電極４１，４２と、蓄電昇圧電源回路４３と、ワイヤレス送信機４４とを備えた、ボタン型センサである（図２参照）。なお、漏水センサ４の数および配置は限定されるものではない。本実施形態の漏水センサ４は、円柱状を呈していて、内部に蓄電昇圧電源回路４３およびワイヤレス送信機４４が収納されているとともに、２種類の電極４１，４２が互いに離隔した状態で露出している。２種類の電極４１，４２は、蓄電昇圧電源回路４３に接続されている。蓄電昇圧電源回路４３は、２種類の電極４１，４２と、ワイヤレス送信機４４との間に介設されている。すなわち、蓄電昇圧電源回路４３は、直流電源である２種類の電極４１，４２が出力する直流電力をコンデンサに充電し、蓄電量が一定量に達したら、蓄えた電力をワイヤレス送信機４４へ放電する。ワイヤレス送信機４４は、蓄電昇圧電源回路４３のコンデンサに蓄電された電力により起動する。ワイヤレス送信機４４が起動すると信号が発信される。なお、漏水センサ４（ボタン型センサ）の形状は限定されるものではなく、例えば、カード状であってもよい。また、２種類の電極４１，４２を構成する材料は限定されるものではなく、例えば、線材であってもよいし、板材であってもよい。
【００３４】
なお、漏水センサ４は、必ずしもシート材１２に埋め込まれている必要はない。例えば、シート材１２の表面（防水層７側の面）に、２種類の電極４１，４２が離間して配設されていてもよい。電極４１，４２の配設方法としては、例えば、絶縁層３が介設された金属箔や金属網からなる電極４１，４２をシート材１２の表面に敷設してもよいし、絶縁層３が介設された２種類の線材（金属線や導電糸等）からなる電極４１，４２を平面視で格子状になるように、互いに交差するように配線してもよい。
【００３５】
本実施形態の漏水センサ４は、何らかの原因により防水層７を浸透した水分によって、一方の電極４１と他方の電極４２とが連結されると、ワイヤレス送信機４４から信号が発信されるように構成されている。すなわち、２種類の電極４１，４２が水分を介して連結されると、一方の電極４１の電位に対する他方の電極４２の電位差によって生じる電流によって発電される。２種類の電極４１，４２により発電された電力は、蓄電昇圧電源回路４３のコンデンサに蓄電される。蓄電昇圧電源回路４３のコンデンサに蓄電された電力が一定量（ワイヤレス送信機４４が起動される電力）に到達すると、当該蓄電昇圧電源回路４３に接続されたワイヤレス送信機４４から信号が送信される。そのため、ワイヤレス送信機４４から送信された信号を、ワイヤレス受信機４５により受信することで、漏水の発生および漏水個所を把握することができる。
【００３６】
以上、本実施形態の漏水センサ一体型建材１（シート材１２）は、漏水センサ４が埋め込まれているため、シート材１２を床版２３に敷設するのみで漏水センサ４の設置が完了する。また、外部電源等を必要としないため、電源を確保するための配線作業を行う必要がない。そのため、工期短縮化を図ることができる。
漏水センサ４は、防水層７を浸透した水分によって２種類の電極４１，４２が連結されると、電位差によって発電した電力によって信号が送信される仕組みになっているため、漏水の発生を早期に発見することができる。したがって、漏水による被害を最小限に抑えることができる。
ワイヤレス送信機４４によって送信された信号は、ワイヤレス受信機４５によって離れた位置から受信することができるため、リアルタイムで漏水の発生および漏水個所を把握することができる。
【００３７】
＜第六の実施形態＞
第六の実施形態の漏水センサ一体型建材１は、建物の屋上等の床版２３（構造物２）を被覆するように配設されたシート材１２である。本実施形態のシート材１２の上面は、防水層（図示せず）で覆われている。なお、シート材１２の設置個所は限定されるものではない。
シート材１２は、図８に示すように、透水性の材料からなる基材１４を備えている。基材１４は、電気を通し難い布材により構成された基布である。なお、基材１４を構成する材料は限定されるものではなく、例えばポリエステル織布により構成すればよい。基材１４の一方の面（図８において上面）と、他方の面（図８において下面）には、それぞれ異なる種類の電極４１，４２が配設されている。本実施形態の２種類の電極４１，４２は、基材１４を介して離間している。すなわち、基材１４は、２種類の電極４１，４２の絶縁体として機能する。なお、第六の実施形態の漏水センサ一体型建材１は、テープ材であってもよい。
【００３８】
２種類の電極４１，４２は、平面視で格子状になるように、互いに交差するように配線された線材（金属線や導電糸等）である。本実施形態では、一方の電極４１に対して、他方の電極４２が直交しているが、一方の電極４１に対する他方の電極４２の角度は限定されるものではない。各電極４１，４２を構成する材料は、異種材料からなるものであれば、前記のものに限定されるものではない。
【００３９】
２種類の電極４１，４２は、漏水センサ４の一部を構成するものである。２種類の電極４１，４２は、シート材１２の外部に配設された蓄電昇圧電源回路４３に接続されている。本実施形態の漏水センサ４は、２種類の電極４１，４２と、蓄電昇圧電源回路４３と、ワイヤレス送信機４４とを備えている（図２参照）。なお、蓄電昇圧電源回路４３およびワイヤレス送信機４４の詳細は、第二の実施形態で示した内容と同様なため、詳細な説明は省略する。
以上、本実施形態の漏水センサ一体型建材１によれば、２種類の電極４１，４２を直交させることで、少ない蓄電昇圧電源回路４３（漏水センサ４）によって、漏水位置を特定することができる。この他の本実施形態の漏水センサ一体型建材１の作用効果は、第五の実施形態で示した漏水センサ一体型建材１と同様のため、詳細な説明は省略する。
【００４０】
＜第七の実施形態＞
第七の実施形態の漏水センサ一体型建材１は、図９に示すように、テープ材１３である。また、第七の実施形態の漏水センサ一体型建材１は、シート材であってもよい。
本実施形態のテープ材１３は、透水性の材料からなる基材１４を備えている。なお、基材１４を構成する材料は限定されるものではない。基材１４の裏面（接着面）には接着層６が形成されている。本実施形態の接着層６は、メッシュ状の接着剤シート６１を基材１４の裏面に接着することにより形成されている。なお、接着層６の詳細は、第三の実施形態で示した内容と同様なため、詳細な説明は省略する。
【００４１】
基材１４の裏面には、一対（２種類）の電極４１，４２が互いに離間して配設されている。一対の電極４１，４２のうち、一方の電極４１はステンレス線（ＳＵＳ線）からなり、他方の電極４２は亜鉛メッキ線からなる。なお、各電極４１，４２を構成する材料は、異種材料からなるものであれば、前記のものに限定されるものではない。一対の電極４１，４２が直線状に配線されているが、電極４１，４２は、必ずしも直線状である必要はない。
一対の電極４１，４２は、漏水センサ４の一部を構成するものであって、蓄電昇圧電源回路４３に接続されている（図２参照）。本実施形態の漏水センサ４は、一対（２種類）の電極４１，４２と、蓄電昇圧電源回路４３と、ワイヤレス送信機４４とを備えている。
蓄電昇圧電源回路４３およびワイヤレス送信機４４の詳細は、第三の実施形態で示した内容と同様なため、詳細な説明は省略する。
以上、本実施形態の漏水センサ一体型建材１（テープ材１３）によれば、第三の実施形態の漏水センサ一体型建材１と同様の作用効果を得ることができる。
【００４２】
＜第八の実施形態＞
第八の実施形態の漏水センサ一体型建材１は、図１０に示すように、テープ材１３である。また、第八の実施形態の漏水センサ一体型建材１は、シート材であってもよい。
本実施形態のテープ材１３は、透水性の材料からなる基材１４を備えている。なお、基材１４を構成する材料は限定されるものではない。
【００４３】
基材１４の裏面には、２種類の電極４１，４２が離間して配設されている。２種類の電極４１，４２は、漏水センサ４の一部を構成するものであって、蓄電昇圧電源回路４３に接続されている。本実施形態の漏水センサ４は、２種類の電極４１，４２と、蓄電昇圧電源回路４３と、ワイヤレス送信機４４とを備えている（図２参照）。なお、蓄電昇圧電源回路４３およびワイヤレス送信機４４の詳細は、第三の実施形態で示した内容と同様なため、詳細な説明は省略する。
【００４４】
基材１４の裏面（接着面側の面）には透水性の絶縁層３が積層されている。絶縁層３は、電気を通し難い布材により構成された基布である。なお、絶縁層３を構成する材料は限定されるものではなく、例えばポリエステル織布により構成すればよい。
２種類の電極４１，４２は、それぞれ絶縁層３の表面側と絶縁層３の裏面側とにそれぞれ配設されている。すなわち、２種類の電極４１，４２は、絶縁層３を介して離間している。
本実施形態の２種類の電極４１，４２は、それぞれ異なる種類の導電性接着剤により構成されている。すなわち、一方の電極４１は、基材１４と絶縁層３とを接着する導電性接着剤により構成されていて、他方の電極４２は、テープ材１３を構造物２等に接着するための導電性接着剤により構成されている。なお、一方の電極４１は、必ずしも導電性接着剤である必要はなく、例えば、金属箔、金属網、線材や、基材１４に印刷されたインク等であってもよい。
以上、本実施形態の漏水センサ一体型建材１（テープ材１３）によれば、第三の実施形態の漏水センサ一体型建材１と同様の作用効果を得ることができる。
【００４５】
以上、本発明の実施形態について説明した。しかし、本発明は、前述の実施形態に限られず、前記の各構成要素については、本発明の趣旨を逸脱しない範囲で、適宜変更が可能である。
例えば、各実施形態で示した漏水センサ一体型建材１は、バッカー１１、シート材１２またはテープ材１３に限定されるものではなく、例えば断熱材等、他の建材であってもよい。
また、漏水センサ一体型建材１が設置される構造物２は限定されるものではなく、建物等の建築物の他、トンネルや土留壁等の土木構造物であってもよい。また、構造物２に対する漏水センサ一体型建材１の設置個所は前記各実施形態で示した箇所に限定されるものではなく、構造物２（建物等）のあらゆる箇所に設置することができる。
２種類の電極４１，４２は、複数積層されていてもよい。こうすることで、浸透した水分との設置面積が大きくなるため、起電力が増加し、ひいては、発電効率が向上する。このとき、２種類の電極４１，４２の層と、他の２種類の電極４１，４２の層との間には、透水性の絶縁体を介設する。
【符号の説明】
【００４６】
１    漏水センサ一体型建材
１１  バッカー
１２  シート材
１３  テープ材
１４  基材
２    構造物
２０  壁
２１  目地
２２  壁部材
２３  床版
３    絶縁層
４    漏水センサ
４１，４２  電極
４３  蓄電昇圧電源回路
４４  ワイヤレス送信機
４５  ワイヤレス受信機
５    シール材
６    接着層
７    防水層
【図１】
2018173387.tif 000003
【図２】
2018173387.tif 000004
【図３】
2018173387.tif 000005
【図４】
2018173387.tif 000006
【図５】
2018173387.tif 000007
【図６】
2018173387.tif 000008
【図７】
2018173387.tif 000009
【図８】
2018173387.tif 000010
【図９】
2018173387.tif 000011
【図１０】
2018173387.tif 000012